(57)【要約】【課題】設置現場毎に快適性と露付き状態の抑制バランスを自由に設定することが可能な多室空気調和機を提供する。【解決手段】能力可変型の圧縮機１と露付き防止制御突入現地設定２を有する１台の室外機３に対し、露付き防止検出手段４ｎを有する複数台の室内機５ｎが、冷媒配管６及び信号線７により接続され、冷房運転時に、露付き防止制御の突入を、露付き防止信号を受信した室内機５ｎの台数により決定する現地設定を特徴とするもので、設置現場毎に、１台でも露付き状態となる可能性がある室内機５ｎが存在した場合、露付き制御に突入する設定にでき、また、複数の室内機５ｎが露付き状態となる可能性があるまで露付き制御に突入せず快適性を維持し、露付き状態となる可能性がある室内機５ｎ以外の室内機５ｎの冷房性能不足を解消する設定もできる。【選択図】図１
2010139121.tif 000002
【特許請求の範囲】
【請求項１】
能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した前記室内機の台数により決定する現地設定を特徴とする多室空気調和機。
【請求項２】
能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した室内機の台数と冷房サーモオン状態の室内機の台数の比率により決定する現地設定を特徴とする多室空気調和機。
【請求項３】
能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、全てのサーモオン状態の室内機から露付き防止信号を受信したことにより決定する現地設定を特徴とする多室空気調和機。
【請求項４】
能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した室内機の台数または全ての冷房サーモオン状態の室内機から露付き防止信号を受信することにより決定する現地設定を特徴とする多室空気調和機。
【請求項５】
冷房運転時に、露付き防止制御の突入を、露付き防止制御突入現地設定による台数設定に関わらず露付き優先室内機から露付き防止信号を受信したことにより決定する請求項１に記載の多室空気調和機。
【請求項６】
冷房運転時に、露付き防止制御の突入を、露付き防止信号を受信した室内機の台数と冷房サーモオン状態の室内機の台数の比率に関わらず、露付き優先室内機から露付き防止信号を受信したことにより決定する現地設定を特徴とする請求項２に記載の多室空気調和機。
【発明の詳細な説明】
【技術分野】
【０００１】
本発明は、１台の室外機に複数台の室内機を接続して冷房サイクルを構成する多室空気調和機に関するもので、特に、多室空気調和機の露付き制御の突入制御方法に関するものである。
【背景技術】
【０００２】
従来、この種の空気調和機における露付き制御方法は、室外機１台に対し室内機１台を接続して制御するもので、冷房運転開始後一定時間は、快適性を優先して圧縮機周波数を高めに設定し、その後は、室内の湿度に応じて圧縮機の最高回転数を決定しているものがあった（例えば、特許文献１参照）。
【０００３】
図８は、上記特許文献１に記載された従来の空気調和機の露付き制御方法を示すブロック図である。
【０００４】
図８に示すように、従来の空気調和機においては、室外制御部１１３は、冷房運転開始後、一定時間までは圧縮機１０１の周波数を高めに設定し、その後は、湿度が低い時は圧縮機１０１の最大周波数を高めに設定していた。この時、室内制御部１１２は、室内温度センサ１０８で検知された室内温度とリモコン１１８で設定された設定温度との差温を室外制御部１１３に送信し、室外制御部１１３は、前記温度差から圧縮機回転数を決定して、インバータ回路１１７を介して、圧縮機１０１の回転数を制御し、室内制御部１１２は、室内湿度センサ１０９で検知した室内湿度と経過時間に基づいて高湿度帯、中湿度帯、低湿度帯のいづれかの湿度帯を判定して室外制御部１１３へ送信し、室外制御部１１３は前記湿度帯を基に圧縮機最高回転数を決定している。
【特許文献１】特開２００８−１２８６０８号公報
【発明の開示】
【発明が解決しようとする課題】
【０００５】
しかしながら、前記従来の空気調和機の露付き制御方法では、室外機１台に対し室内機１台を接続する空気調和機に対しては、冷房の快適性と露付き状態の抑制を行えるものの、多室空気調和機に適応できない。また、多室空気調和機に適応しても、１室の快適性と露付き状態の抑制は行えても、その１室のために他室の快適性が損なわれるという課題を有していた。
【０００６】
本発明は、前記従来の課題を解決するもので、設置現場毎に快適性と露付き状態の抑制バランスを自由に設定することが可能な多室空気調和機を提供することを目的とする。
【課題を解決するための手段】
【０００７】
前記従来の課題を解決するために、本発明の多室空気調和機は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した前記室内機の台数により決定する現地設定を特徴とするもので、設置現場毎に、１台でも露付き状態となる可能性がある室内機が存在した場合、露付き制御に突入する設定にでき、また、１台が露付き状態となる可能性があっても、複数の室内機が露付き状態となる可能性があるまで露付き制御に突入することなく快適性を維持できるようにし、露付き状態となる可能性がある室内機以外の室内機の冷房性能不足を解消する設定もでき、快適性と露付き状態抑制のバランスを自由に設定することができる。
【０００８】
また、本発明の多室空気調和機は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した室内機の台数と冷房サーモオン状態の室内機の台数の比率により決定する現地設定を特徴とするもので、設置現場毎に、サーモオン状態の室内機の台数に対する比率で露付き防止制御の突入を判断することができ、露付き制御により負荷があっても冷えない室内機の比率を自由に設定することができる。
【０００９】
また、本発明の多室空気調和機は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、全てのサーモオン状態の室内機から露付き防止信号を受信したことにより決定する現地設定を特徴とするもので、設置現場毎に、負荷があっても冷えない室内機が存在することがないよう、冷房運転でサーモオンしている全室内機から露付き防止信号を受信してから突入することで冷房性能不足室内機が存在しない設定にすることができる。
【００１０】
また、本発明の多室空気調和機は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した室内機の台数または全ての冷房サーモオン状態の室内機から露付き防止信号を受信することにより決定する現地設定を特徴とするもので、設置現場毎に、現地設定により露付き防止信号を受信した室内機の台数を設定ミスにより設置現場で接続された室内機の台数以上に設定してしまった場合でも、全ての冷房サーモオン状態の室内機から露付き防止信号を受信することで露付き防止制御に確実に突入し、設定ミスを防止することができる。
【発明の効果】
【００１１】
本発明の多室空気調和機は、冷房運転時に露付き防止制御の突入を、露付き防止信号を受信した室内機台数により決定する現地設定を有することで、設置現場毎に、１台でも露付き状態となる可能性がある室内機が存在した場合、露付き制御に突入する設定にでき、また、１台が露付き状態となる可能性があっても、複数の室内機が露付き状態となる可能性があるまで露付き制御に突入することなく快適性を維持できるようにし、露付き状態となる可能性がある室内機以外の室内機の冷房性能不足を解消する設定にもでき、快適性と露付き状態抑制のバランスを自由に設定することができる。
【発明を実施するための最良の形態】
【００１２】
第１の発明は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した前記室内機の台数により決定する現地設定を特徴とするもので、設置現場毎に、１台でも露付き状態となる可能性がある室内機が存在した場合、露付き制御に突入する設定にでき、また、１台が露付き状態となる可能性があっても、複数の室内機が露付き状態となる可能性があるまで露付き制御に突入することなく快適性を維持できるようにし、露付き状態となる可能性がある室内機以外の室内機の冷房性能不足を解消する設定もでき、快適性と露付き状態抑制のバランスを自由に設定することができる。
【００１３】
第２の発明は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き
防止信号を受信した室内機の台数と冷房サーモオン状態の室内機の台数の比率により決定する現地設定を特徴とするもので、設置現場毎に、サーモオン状態の室内機の台数に対する比率で露付き防止制御の突入を判断することができ、露付き制御により負荷があっても冷えない室内機の比率を自由に設定することができる。
【００１４】
第３の発明は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、全てのサーモオン状態の室内機から露付き防止信号を受信したことにより決定する現地設定を特徴とするもので、設置現場毎に、負荷があっても冷えない室内機が存在することがないよう、冷房運転でサーモオンしている全室内機から露付き防止信号を受信してから突入することで冷房性能不足室内機が存在しない設定にすることができる。
【００１５】
第４の発明は、能力可変型の圧縮機と露付き防止制御突入現地設定機能を有する１台の室外機に対し、露付き防止検出手段を有する複数台の室内機が、冷媒配管及び信号線により接続された多室空気調和機において、冷房運転時に、露付き防止制御の突入を、露付き防止信号を受信した室内機の台数または全ての冷房サーモオン状態の室内機から露付き防止信号を受信することにより決定する現地設定を特徴とするもので、設置現場毎に、現地設定により露付き防止信号を受信した室内機の台数を設定ミスにより設置現場で接続された室内機の台数以上に設定してしまった場合でも、全ての冷房サーモオン状態の室内機から露付き防止信号を受信することで露付き防止制御に確実に突入し、設定ミスを防止することができる。
【００１６】
第５の発明は、特に、第１の発明の冷房運転時に、露付き防止制御の突入を、露付き防止制御突入現地設定による台数設定に関わらず露付き優先室内機から露付き防止信号を受信したことにより決定するもので、設置現場毎に、１台でも露付き状態となる可能性がある室内機が存在した場合、露付き制御に突入する設定にでき、また、１台が露付き状態となる可能性があっても、複数の室内機が露付き状態となる可能性があるまで露付き制御に突入することなく快適性を維持できるようにし、露付き状態となる可能性がある室内機以外の室内機の冷房性能不足を解消する設定もでき、また、露付き優先室内機から露付き防止信号を受信した場合、台数条件が成立しなくても露付き制御に突入する設定にすることができる。
【００１７】
第６の発明は、特に、第２の発明の冷房運転時に、露付き防止制御の突入を、露付き防止信号を受信した室内機の台数と冷房サーモオン状態の室内機の台数の比率に関わらず、露付き優先室内機から露付き防止信号を受信したことにより決定する現地設定を特徴とするもので、設置現場毎に、サーモオン状態の室内機の台数に対する比率で露付き防止制御の突入を判断することができ、また、露付き優先室内機から露付き防止信号を受信した場合、台数条件が成立しなくても露付き制御に突入する設定にすることができ、露付き制御により負荷があっても冷えない室内機の比率を自由に設定し、かつ、露付き優先室内機から露付き防止信号を受信した場合、露付き制御に突入する設定にすることができる。
【００１８】
以下、本発明の実施の形態について、図面を参照しながら説明する。なお、この実施の形態によって本発明が限定されるものではない。
【００１９】
（実施の形態１）
本発明の実施の形態１における多室空気調和機について、図１、図２を用いて説明する。図１は、本実施の形態における多室空気調和機の構成概念図である。
【００２０】
図１において、本実施の形態における多室空気調和機は、室外機３と、複数の室内機５
ａ〜５ｎから構成され、室外機３は、能力可変型の圧縮機１と、露付き防止制御突入現地設定２を有し、複数の室内機５ｎのそれぞれは露付き防止検出手段４ａ〜４ｎを有し、１台の室外機３と複数の室内機５ａ〜５ｎは、冷媒配管６及び信号線７で接続されている。
【００２１】
図２は、本実施の形態における多室空気調和機の制御方法を示すフローチャートである。
【００２２】
図１及び図２に基づいて、本実施の形態における多室空気調和機の動作、作用について説明する。
【００２３】
露付き防止制御突入現地設定２において、露付き防止制御に突入する条件を室内機５ｎの台数で現地設定（ＳＴＥＰ０）されている。冷房運転（ＳＴＥＰ１）において、各室内機５ｎは、冷房サーモオン判断（ＳＴＥＰ３）を行い、冷房サーモオン状態（ＳＴＥＰ３のＹｅｓ）であれば、露付き防止突入判断（ＳＴＥＰ４）を行う。各室内機５ｎの露付き防止突入判断（ＳＴＥＰ４）の結果より、露付き防止突入に該当する室内機５ｎの台数を記憶（ＳＴＥＰ５）し、露付き防止突入に該当する室内機５ｎの台数が、現地設定（ＳＴＥＰ０）で設定したｎ台以上かの判断（ＳＴＥＰ６）を行い、現地設定（ＳＴＥＰ０）で設定したｎ台以上（ＳＴＥＰ６のＹｅｓ）であれば露付き防止制御に突入（ＳＴＥＰ７）し、現地設定（ＳＴＥＰ０）で設定したｎ台未満（ＳＴＥＰ６のＮｏ）であれば、露付き防止制御を解除（ＳＴＥＰ８）する。
【００２４】
以上のように本実施の形態によれば、設置現場毎に、複数の室内機５ｎの内１台でも露付き状態となる可能性がある場合、露付き制御に突入する設定にでき、また、１台が露付き状態となる可能性があっても、複数の室内機５ｎが露付き状態となる可能性があるまで露付き制御に突入することなく快適性を維持できるようにし、露付き状態となる可能性がある室内機５ｎ以外の室内機の冷房性能不足を解消する設定にもでき、快適性と露付き状態抑制のバランスを自由に設定することができる。
【００２５】
（実施の形態２）
図３は、本発明の実施の形態２における多室空気調和機の制御方法を示すフローチャートである。なお、上記第１の実施の形態における多室空気調和機と同一部分には同一符号を付してその説明を省略する。
【００２６】
図３に基づいて、本実施の形態における多室空気調和機の動作、作用について説明する。
【００２７】
本実施の形態においては、露付き防止制御突入現地設定２において、露付き防止制御に突入する条件を、露付き防止信号を受信した室内機５ｎの台数と冷房サーモオン状態の室内機５ｎの台数の比率で現地設定（ＳＴＥＰ１０）されている。
【００２８】
冷房運転（ＳＴＥＰ１）において、各室内機５ｎは、冷房サーモオン判断（ＳＴＥＰ３）を行い、冷房サーモオン状態（ＳＴＥＰ３のＹｅｓ）であれば、露付き防止突入判断（ＳＴＥＰ４）を行う。各室内機５ｎの露付き防止突入判断（ＳＴＥＰ４）の結果より、露付き防止突入に該当する室内機５ｎの台数を記憶（ＳＴＥＰ５）し、また、冷房サーモオン状態の室内機５ｎの台数を記憶（ＳＴＥＰ１１）する。
【００２９】
次に、露付き防止信号を受信した室内機５ｎの台数と、冷房サーモオン状態の室内機５ｎの台数の比率が、現地設定（ＳＴＥＰ１０）で設定したｎ％以上（ＳＴＥＰ１６のＹｅｓ）であれば露付き防止制御に突入（ＳＴＥＰ７）する。現地設定（ＳＴＥＰ１０）で設定したｎ％未満（ＳＴＥＰ１６のＮｏ）であれば、露付き防止制御を解除（ＳＴＥＰ８）
する。
【００３０】
以上のように、本実施の形態によれば、設置現場毎に、サーモオン状態の室内機５ｎの台数に対する比率で露付き防止制御の突入を判断することができ、露付き制御により負荷があっても冷えない室内機の比率を設置現場毎に自由に設定することができる。
【００３１】
（実施の形態３）
図４は、本発明の実施の形態３における多室空気調和機の制御方法を示すフローチャートである。なお、上記第１の実施の形態における多室空気調和機と同一部分には同一符号を付してその説明を省略する。
【００３２】
図４により、本実施の形態における多室空気調和機の動作、作用について説明する。
【００３３】
露付き防止制御突入現地設定２において、露付き防止制御に突入する条件を、冷房サーモオン状態の全室内機５ｎに現地設定（ＳＴＥＰ２０）されている。冷房運転（ＳＴＥＰ１）において、各室内機５ｎは、冷房サーモオン判断（ＳＴＥＰ３）を行い、冷房サーモオン状態（ＳＴＥＰ３のＹｅｓ）であれば、露付き防止突入判断（ＳＴＥＰ４）を行う。
【００３４】
各室内機５ｎの露付き防止突入判断（ＳＴＥＰ４）の結果より、露付き防止突入に該当する室内機５ｎの台数を記憶（ＳＴＥＰ５）し、また、冷房サーモオン状態の室内機５ｎの台数を記憶（ＳＴＥＰ１１）する。
【００３５】
次に、露付き防止信号を受信した室内機５ｎの台数と、冷房サーモオン状態の室内機５ｎの台数が同じで、冷房サーモオン状態の全室内機５ｎから露付き防止信号を受信したかの判断（ＳＴＥＰ２６）を行い、冷房サーモオン状態の全室内機５ｎから露付き防止信号を受信したと判断（ＳＴＥＰ２６のＹｅｓ）すれば、露付き防止制御に突入（ＳＴＥＰ７）する。また、現地設定（ＳＴＥＰ２０）で設定した冷房サーモオン状態の全室内機５ｎから、露付き防止信号を受信しなかった（ＳＴＥＰ２６のＮｏ）場合は、露付き防止制御を解除（ＳＴＥＰ８）する。
【００３６】
以上のように本実施の形態によれば、設置現場毎に、負荷があっても冷えない室内機が存在することがないよう、冷房運転でサーモオンしている全室内機５ｎから露付き防止信号を受信してから、露付き防止制御に突入することで冷房性能不足室内機が存在しない設定にすることができる。
【００３７】
（実施の形態４）
図５は、本発明の実施の形態４における多室空気調和機の制御方法を示すフローチャートである。なお、上記実施の形態における多室空気調和機と同一部分には同一符号を付してその説明を省略する。
【００３８】
図５により、本実施の形態における多室空気調和機の動作、作用について説明する。
露付き防止制御突入現地設定２において、露付き防止制御に突入する条件を、冷房サーモオン状態の全室内機５ｎまたは室内機５ｎの台数で設定（ＳＴＥＰ３０）されている。冷房運転（ＳＴＥＰ１）において、各室内機５ｎは冷房サーモオン判断（ＳＴＥＰ３）を行い、冷房サーモオン状態（ＳＴＥＰ３のＹｅｓ）であれば露付き防止突入判断（ＳＴＥＰ４）を行う。各室内機５ｎの露付き防止突入判断（ＳＴＥＰ４）の結果より、露付き防止突入に該当する室内機５ｎの台数を記憶（ＳＴＥＰ５）し、また、冷房サーモオン状態の室内機５ｎの台数を記憶（ＳＴＥＰ１１）する。
【００３９】
次に、露付き防止信号を受信した室内機５ｎの台数と、冷房サーモオン状態の室内機５
ｎの台数が同じで、冷房サーモオン状態の全室内機５ｎから露付き防止信号を受信したかの判断（ＳＴＥＰ３６）を行い、冷房サーモオン状態の全室内機５ｎから露付き防止信号を受信したと判断（ＳＴＥＰ３６のＹｅｓ）すれば露付き防止制御に突入する（ＳＴＥＰ７）。また、現地設定（ＳＴＥＰ３０）で設定したｎ台以上（ＳＴＥＰ３６のＹｅｓ）の場合も、露付き防止制御に突入（ＳＴＥＰ７）する。
【００４０】
現地設定（ＳＴＥＰ３０）で設定した冷房サーモオン状態の全室内機５ｎから露付き防止信号を受信しなかった場合（ＳＴＥＰ３６のＮｏ）または現地設定（ＳＴＥＰ３０）で設定したｎ台未満（ＳＴＥＰ３６のＮｏ）であれば、露付き防止制御を解除（ＳＴＥＰ８）する。
【００４１】
以上のように本実施の形態によれば、設置現場毎に、現地設定により露付き防止信号を受信した室内機５ｎの台数を、設定ミスにより設置現場の接続室内機５ｎの台数を超える台数で設定してしまった場合でも、冷房サーモオン状態の全室内機５ｎから露付き防止信号を受信することで露付き防止制御に確実に突入し、設定ミスを防止することができる。
【００４２】
（実施の形態５）
図６は、本発明の実施の形態５における多室空気調和機の制御方法を示すフローチャートである。なお、上記実施の形態における多室空気調和機と同一部分には同一符号を付してその説明を省略する。
【００４３】
図６により、本実施の形態における多室空気調和機の動作、作用について説明する。
【００４４】
露付き防止制御突入現地設定２において露付き防止制御に突入する条件を室内機５ｎの台数で現地設定（ＳＴＥＰ０）されている。
【００４５】
冷房運転（ＳＴＥＰ１）において、各室内機５ｎは冷房サーモオン判断（ＳＴＥＰ３）を行い、冷房サーモオン状態（ＳＴＥＰ３のＹｅｓ）であれば、露付き防止突入判断（ＳＴＥＰ４）を行う。各室内機５ｎの露付き防止突入判断（ＳＴＥＰ４）の結果より、露付き防止突入に該当する室内機５ｎの台数を記憶（ＳＴＥＰ５）し、露付き防止突入に該当する室内機５ｎの台数が、現地設定（ＳＴＥＰ０）で設定したｎ台以上かの判断（ＳＴＥＰ６）を行い、現地設定（ＳＴＥＰ０）で設定したｎ台以上（ＳＴＥＰ６のＹｅｓ）であれば露付き防止制御に突入（ＳＴＥＰ７）する。
【００４６】
また、各室内機５ｎにおいて、露付き防止優先室内機の判断（ＳＴＥＰ４１）を行い、露付き防止突入と判断（ＳＴＥＰ４のＹｅｓ）し、露付き防止優先室内機と判断（ＳＴＥＰ４１のＹｅｓ）した場合露付き防止制御に突入（ＳＴＥＰ７）する。露付き防止優先室内機ではないと判断（ＳＴＥＰ４１のＮｏ）し、現地設定（ＳＴＥＰ０）で設定したｎ台未満（ＳＴＥＰ６のＮｏ）であれば露付き防止制御を解除（ＳＴＥＰ８）する。
【００４７】
以上のように、本実施の形態によれば、設置現場毎に、１台でも露付き状態となる可能性がある室内機５ｎが存在した場合、露付き制御に突入する設定にでき、また、１台が露付き状態となる可能性があっても、複数の室内機５ｎが露付き状態となる可能性があるまで露付き制御に突入することなく快適性を維持できるようにし、露付き状態となる可能性がある室内機５ｎ以外の室内機５ｎの冷房性能不足を解消する設定にもでき、また、露付き優先室内機から露付き防止信号を受信した場合、台数条件が成立しなくても露付き制御に突入する設定にすることができる。
【００４８】
（実施の形態６）
図７は、本発明の実施の形態６における多室空気調和機の制御方法を示すフローチ
ャートである。なお、上記実施の形態における多室空気調和機と同一部分には同一符号を付してその説明を省略する。
【００４９】
図７により、本実施の形態における多室空気調和機の動作、作用について説明する。
【００５０】
露付き防止制御突入現地設定２において、露付き防止制御に突入する条件を、露付き防止信号を受信した室内機５ｎの台数と冷房サーモオン状態の室内機５ｎの台数の比率で現地設定（ＳＴＥＰ１０）されている。
【００５１】
冷房運転（ＳＴＥＰ１）において、各室内機５ｎは、冷房サーモオン判断（ＳＴＥＰ３）を行い冷房サーモオン状態（ＳＴＥＰ３のＹｅｓ）であれば、露付き防止突入判断（ＳＴＥＰ４）を行う。
【００５２】
各室内機５ｎの露付き防止突入判断（ＳＴＥＰ４）の結果より、露付き防止突入に該当する室内機５ｎの台数を記憶（ＳＴＥＰ５）し、また、冷房サーモオン状態の室内機５ｎの台数を記憶（ＳＴＥＰ１１）する。
【００５３】
次に、露付き防止信号を受信した室内機５ｎの台数と冷房サーモオン状態の室内機５ｎの台数の比率が、現地設定（ＳＴＥＰ１０）で設定したｎ％以上（ＳＴＥＰ１６のＹｅｓ）であれば露付き防止制御に突入（ＳＴＥＰ７）する。
【００５４】
また、各室内機５ｎにおいて、露付き防止優先室内機の判断（ＳＴＥＰ４１）を行い、露付き防止突入と判断（ＳＴＥＰ４のＹｅｓ）し、露付き防止優先室内機と判断（ＳＴＥＰ４１のＹｅｓ）した場合、露付き防止制御に突入（ＳＴＥＰ７）する。
【００５５】
また、露付き防止優先室内機ではないと判断（ＳＴＥＰ４１のＮｏ）し、現地設定（ＳＴＥＰ１０）で設定したｎ％未満（ＳＴＥＰ１６のＮｏ）であれば露付き防止制御を解除（ＳＴＥＰ８）する。
【００５６】
以上のように、本実施の形態によれば、設置現場毎に、サーモオン状態の室内機５ｎの台数に対する比率で、露付き防止制御の突入を判断することができ、また、露付き優先室内機から露付き防止信号を受信した場合、台数条件が成立しなくても露付き制御に突入する設定にすることができ、露付き制御により負荷があっても冷えない室内機５ｎの比率を自由に設定し、かつ、露付き優先室内機から露付き防止信号を受信した場合、露付き制御に突入する設定にすることができる。
【産業上の利用可能性】
【００５７】
以上のように、本発明にかかる多室空気調和機は、冷房運転時に露付き防止制御の突入を、露付き防止信号を受信した室内機の台数により決定する現地設定を有することで、設置現場毎に、１台でも露付き状態となる可能性がある室内機が存在した場合、露付き制御に突入する設定にでき、また、１台が露付き状態となる可能性があっても、複数の室内機が露付き状態となる可能性があるまで露付き制御に突入することなく快適性を維持できるようにし、露付き状態となる可能性がある室内機以外の室内機の冷房性能不足を解消する設定にもでき、快適性と露付き状態抑制のバランスを自由に設定することができるもので、同時ツイン、トリプル機種、蓄熱式多室形空気調和機等にも適用できる。
【図面の簡単な説明】
【００５８】
【図１】本発明の実施の形態１における多室空気調和機の構成概念図
【図２】同多室空気調和機の制御方法を示すフローチャート
【図３】本発明の実施の形態２における多室空気調和機の制御方法を示すフローチャート
【図４】本発明の実施の形態３における多室空気調和機の制御方法を示すフローチャート
【図５】本発明の実施の形態４における多室空気調和機の制御方法を示すフローチャート
【図６】本発明の実施の形態５における多室空気調和機の制御方法を示すフローチャート
【図７】本発明の実施の形態６における多室空気調和機の制御方法を示すフローチャート
【図８】従来の多室空気調和機の制御方法を示すフローチャート
【符号の説明】
【００５９】
１  圧縮機
２  露付き防止制御突入現地設定
３  室外機
４ｎ  露付き防止検出手段
５ｎ  室内機
６  冷媒配管
７  信号線
【図１】
2010139121.tif 000003
【図２】
2010139121.tif 000004
【図３】
2010139121.tif 000005
【図４】
2010139121.tif 000006
【図５】
2010139121.tif 000007
【図６】
2010139121.tif 000008
【図７】
2010139121.tif 000009
【図８】
2010139121.tif 000010